(57)【要約】  【課題】  マンホール装置における路面とマンホール蓋の上面の高さ関係の調整をより迅速、且つ容易に行う。  【解決手段】  環状内枠４の周方向の回動により環状内枠４の高さを調整し、環状内枠４の内側から嵌合体６２を回動操作して、嵌合溝６１に対して嵌脱させて環状外枠２に対する環状内枠４の保持及び保持解除する。  【選択図】  図３
0003124806.tif 000002
【実用新案登録請求の範囲】
【請求項１】
マンホール蓋の高さ調節構造を備えたマンホール装置であって、
地中に埋設固定される環状外枠と、マンホール蓋を開閉可能に支持し、前記環状外枠の内側に上下動可能に嵌合される環状内枠と、環状内枠の上下動に伴って変更される環状内枠の高さ位置を調節する高さ調整部と、環状内枠の高さ位置を保持する高さ保持部とを含み、
前記高さ調整部は、前記環状内枠にその周方向に沿って複数の段部を階段状に並べて形成された掛合段部と、前記環状外枠の内周面に突設され、前記掛合段部が掛合される掛合突起とを備え、前記環状内枠の周方向に沿う回動により、前記掛合突起に対する前記掛合段部における複数の段部の掛合位置を変更して環状内枠の高さ位置を調整するものであり、
前記高さ保持部は、前記環状外枠の内周面にその長手方向が前記掛合段部の階段方向に沿って傾斜するように凹設された嵌合溝と、前記環状内枠の内周面に対してその内側から貫通状に螺合するとともに、前記嵌合溝に嵌脱する嵌合体とを備え、前記環状内枠の内側から前記嵌合体を回動操作して、前記嵌合溝に対して嵌脱させて環状外枠に対する環状内枠の保持及び保持解除をするものであることを特徴とするマンホール装置。
【考案の詳細な説明】
【技術分野】
【０００１】
本考案は、マンホール装置に関し、マンホール蓋の高さ調節構造を備えたマンホール装置に関する。
【背景技術】
【０００２】
本考案に関連する先行技術文献情報として、例えば特許文献１及び特許文献２が存在する。
【特許文献１】特開平８−２３２２８１号公報
【特許文献２】特開平８−３０２７１８号公報
【０００３】
前記特許文献１に記載のマンホール蓋の高さ調節構造は、受枠の下側にコンクリートブロック及び弾性整合ブロックからなる高さ調整部材を適宜枚数重ねるように設置することによって、受枠を上下動させてマンホール蓋の上面と路面とを同面状にするものである。
前記特許文献２に記載のマンホール蓋の高さ調節構造は、受枠の下側に調整リング及び蛇腹式円筒形内枠シールからなる高さ調整部材を設置し、当該蛇腹式円筒形内枠シールを伸縮させて受枠を上下させ、当該受枠と蛇腹式円筒形内枠シールと前記調整リングとの間で形成された空間にモルタルを充填させることによって、蛇腹式円筒形内枠シールの伸縮状態を保持して、マンホール蓋の上面と路面とを同面状にするものである。
又、前記特許文献１及び特許文献２の構成では、受枠と高さ調整部材とをボルト・ナットで一体化することにより、受枠を固定するようにしている。
【考案の開示】
【考案が解決しようとする課題】
【０００４】
ところで、例示した特許文献１及び特許文献２に記載のマンホール装置は、受枠の高さを一度設定してしまうと、例えば路面の再舗装時において路面とマンホール蓋の上面の高さ関係が変わる場合がある。
そのため、路面とマンホール蓋の上面の高さ関係を正常なものとするために、前記調整部材を増減することにより、再度高さの調整作業を行っているが、例示した特許文献１及び特許文献２に記載のマンホール装置の場合、前記したように、高さ調整部材を増減したり伸縮させてモルタルを充填したりしながら調整し、再度ボルト・ナットで受枠を固定している。
本出願人は、マンホール装置における路面とマンホール蓋の上面の高さ関係の調整をより迅速、且つ容易に行うという観点から鋭意研究を重ねた結果本願考案に至ったものである。
【０００５】
本考案は、マンホール装置における路面とマンホール蓋の上面の高さ関係の調整をより迅速、且つ容易に行うことを課題とし、この課題を解決したマンホール装置の提供を目的とする。
【課題を解決するための手段】
【０００６】
本考案が上記目的を達成するために採用した技術的手段は、マンホール蓋の高さ調節構造を備えたマンホール装置であって、地中に埋設固定される環状外枠と、マンホール蓋を開閉可能に支持し、前記環状外枠の内側に上下動可能に嵌合される環状内枠と、環状内枠の上下動に伴って変更される環状内枠の高さ位置を調節する高さ調整部と、環状内枠の高さ位置を保持する高さ保持部とを含み、前記高さ調整部は、前記環状内枠にその周方向に沿って複数の段部を階段状に並べて形成された掛合段部と、前記環状外枠の内周面に突設され、前記掛合段部が掛合される掛合突起とを備え、前記環状内枠の周方向に沿う回動により、前記掛合突起に対する前記掛合段部における複数の段部の掛合位置を変更して環状内枠の高さ位置を調整するものであり、前記高さ保持部は、前記環状外枠の内周面にその長手方向が前記掛合段部の階段方向に沿って傾斜するように凹設された嵌合溝と、前記環状内枠の内周面に対してその内側から貫通状に螺合するとともに、前記嵌合溝に嵌脱する嵌合体とを備え、前記環状内枠の内側から前記嵌合体を回動操作して、前記嵌合溝に対して嵌脱させて環状外枠に対する環状内枠の保持及び保持解除をするようにしていることを特徴とするマンホール装置にしたことである。
【考案の効果】
【０００７】
本考案によれば、路面とマンホール蓋の上面の高さ関係の調整をより迅速、且つ容易に行うことができる。
【考案を実施するための最良の形態】
【０００８】
以下、本考案のマンホール装置を実施するための最良の形態を図面に基づいて説明する。
本形態のマンホール装置１は、路面Ｇの地中に埋設固定される環状外枠２と、マンホール蓋３を開閉可能に支持し、前記環状外枠の内側に上下動可能に嵌合される環状内枠４と、環状内枠４の上下動に伴って変更される環状内枠４の高さ位置を調節する高さ調整部５と、環状内枠４の高さ位置を保持する高さ保持部６とから構成されている。
【０００９】
環状外枠２は、略筒状の外枠本体部２１と、当該外枠本体部２１の下端に一体形成された鍔状部２２と、当該鍔状部２２に外枠本体部２１を囲むように立設された外枠案内管部２３とから構成されている。
外枠本体部２１の内周面には、前記高さ調整部５の一方を構成する掛合突起５１と、前記高さ保持部６の一方を構成する嵌合溝６１が形成されている。
前記鍔状部２２の表面には、前記案内管部２３を支持する支持突起２４が突設されている。
【００１０】
環状内枠４は、略筒状に形成された内枠本体部４１の下端部に、前記高さ調整部５の他方を構成する掛合段部５２が形成され、内枠本体部４１の内周面に、前記高さ保持部６の他方を構成する嵌合体６２が螺合されている。
又、内枠本体部４１の外周面には、当該外周面を囲むよう内枠案内管部４２が垂設されている。
又、環状内枠４に開閉可能に支持されたマンホール蓋３は、マンホール内からマンホール蓋３に対して水圧等の内圧が作用した際に、その圧力を開放する開放構造が構成されている。
尚、前記案内管部２３,４２は、環状内枠４の周方向の回動を案内するものであり、案内管部２３は、地中の土の圧力を環状内枠４に作用させないようにカバーするものである。
【００１１】
前記開放構造については、例えば、本出願人が実開平６-６０６４４号及び実用新案登録第３０５３５０３号で提案しているように公知の構成及びこれらの組合わせによる構成等が使用できる。
本形態では、マンホール蓋３のロック部３１と開閉支持部３２とに、前記内枠本体部４１の内周面に突設された掛止部４１Ａ,４１Ｂに対して掛止される被掛止部３１Ａ,３２Ａが形成され、マンホール蓋３に内圧が作用してマンホール蓋３が浮き上がった際に、前記掛止部４１Ａ,４１Ｂに対して被掛止部３１Ａ,３２Ａが掛止されることによって、これ以上の浮き上がりを防止して、浮き上がった際に形成される開口部から圧力を逃がすようにしている。
【００１２】
前記高さ調整部５は、図３（ａ）,（ｂ）に示すように、前述した掛合突起５１と掛合段部５２とから構成されている。
前記掛合突起５１は、掛合段部５２における後述する階段状の段部５２Ａと適合状として上下方向に重なり合って掛合する形状の３段の階段状とする段部５１Ａが径方向へ突設されてなる。
掛合段部５２は、前記３段の階段状とする段部５１Ａよりも多段である階段状の段部５２Ａから構成されている。
又、これら掛合突起５１及び掛合段部５２を一対として三対形成され、これら三対が互いに平面方向に同角度をもって配設されている。
すなわち、前記掛合突起５１に対して掛合段部５２が掛合することで、環状内枠４が環状外枠２に支持され、環状内枠４を周方向に回動させ、掛合段部５２の掛合突起５１に対する掛合位置を変更することで、環状内枠４の高さ位置を調節することができる。
【００１３】
前記高さ保持部６は、図３（ａ）,（ｂ）に示すように、前述した嵌合溝６１と嵌合体６２とから構成されている。
嵌合溝６１は、内枠本体部４１の内周面に、長手方向が前記掛合段部５２の階段方向に沿って傾斜するように凹設されている。
又、嵌合溝６１は、前記各嵌合突起５１間に３個づつ計9個配設され、嵌合体６２も同様な位置に同数配設されている。
嵌合体６２は、内枠本体部４１の内周面に対して前記嵌合溝６１に向かって貫通状に螺合されるとともに、先端が嵌合溝６１に対して嵌合する略アイボルト状のものであり、当該嵌合体６２を内枠本体部４１の内周面に対して緩み方向、締付け方向に回動することによって嵌合溝６１に対して嵌脱され、嵌合時において環状内枠４を環状外枠２に対して固定してその高さを保持し、嵌合解除時において環状内枠４の環状外枠に対する固定が解除されて環状内枠４の周方向への回動が可能となる。
【００１４】
前記内枠本体部４１には、図３（ａ）,（ｂ）に示すように、前記嵌合体６２が貫通螺合される螺合孔４３が開孔されている。
この螺合孔４３は、上下方向に開孔された３個づつを一列とした螺合孔４３を前記各嵌合突起５１間に配設し、当該環状内枠４の高さ位置に対応する位置に在る螺合孔４３に前記嵌合体６２を貫通螺合することで、環状内枠４を目的の高さ位置に固定することができるとともに、上中下と３段階の高さにプリセットすることができるようにしている。
【００１５】
本形態の高さ保持部６によれば、前記嵌合体６２が嵌合溝６１に嵌合することによって、環状内枠４を環状外枠２に固定することができ、しかも、マンホール蓋３に内圧が作用した際に環状外枠２から環状内枠４の抜けを防止することができるとともに、環状内枠４の環状外枠２に対するがたつきやずれ等を防止することができる。
又、環状内枠４を上中下と３段階の高さにプリセットすることができ、プリセットした高さから環状内枠４を周方向に回動させて高さを調節した際に、前記嵌合溝６１の傾斜によって、変更される嵌合体６２の高さ位置に対してその嵌合溝６１の一端から他端までの距離で対応することができる。
【００１６】
したがって、本形態のマンホール装置によれば、環状内枠４の周方向への回動という極めて容易な操作によって、当該環状内枠４の高さを変更することができる。
又、路面に対しては、環状外枠２のみが埋設固定されているので、環状内枠４の回動操作に障害を与えることはない。
又、環状内枠４の内側から前記嵌合体６２を回動操作するという極めて容易な操作で、前記嵌合溝６１に対して嵌脱させて環状外枠２に対する環状内枠４の保持及び保持解除をすることができる。
よって、路面Ｇとマンホール蓋３の上面の高さ関係の調整をより迅速、且つ容易に行うことができる。
なお、本考案は、例示した実施の形態に限定するものではなく、実用新案登録請求の範囲に記載された内容から逸脱することなく、他の構成による実施も可能である。
【図面の簡単な説明】
【００１７】
【図１】本考案に係るマンホール装置の断面図。
【図２】図１の要部拡大図。
【図３】（ａ）本考案に係るマンホール装置の展開図、（ｂ）高さを変えたマンホール装置の展開図。
【符号の説明】
【００１８】
１：マンホール装置
Ｇ：路面
２：環状外枠
３：マンホール蓋
４：環状内枠
５：高さ調整部
６：高さ保持部
５１：掛合突起
６１：嵌合溝
５２：掛合段部
６２：嵌合体
５１Ａ：段部
５２Ａ：段部
【図１】
0003124806.tif 000003
【図２】
0003124806.tif 000004
【図３】
0003124806.tif 000005